(57)【要約】【課題】  回転刈り刃によって発生した風で刈り草を刈りハウジング横一端部の刈り草排出口から排出しながら、風による草の倒伏を発生しにくいようにする。【解決手段】  前バッフルプレート４０に、上手側刈り刃２２Ｌの回転域２２ＬＡに凹入湾曲案内面４１ａで面した上手側刈り刃用プレート部４１と、下手側刈り刃２２Ｃの回転域２２ＣＡに凹入湾曲案内面４２ａで面した下手側刈り刃用プレート部４２とを設けてある。前バッフルプレート４０における上手側刈り刃用プレート部４１と下手側刈り刃用プレート部４２との境界４７と、上手側刈り刃２２Ｌの回転域２２ＬＡとの間隔Ｄ１が、境界４７と下手側刈り刃２２Ｃの回転域２２ＣＡとの間隔Ｄ２よりも大になっている。上手側刈り刃用プレート部４１の境界４７が位置する側の領域での上手側刈り刃２２Ｌの回転域２２ＬＡとの間隔Ｄ３が、境界４７に至るほど大になっている。【選択図】        図６
2008072959.tif 000002
【特許請求の範囲】
【請求項１】
刈り刃ハウジングの内部に刈り刃ハウジング横方向に並んで位置するとともに刈り刃ハウジング上下向き軸芯まわりで回転自在な複数の回転刈り刃と、前記刈り刃ハウジングの横一端部に位置した刈り草排出口と、前記各回転刈り刃からの刈り草を前記刈り草排出口に流動案内するよう、前記刈り刃ハウジングの内部の前記各回転刈り刃の回転域の前方に位置した前バッフルプレートとを備えたモーアであって、
前記前バッフルプレートに、前記複数の回転刈り刃において刈り刃ハウジング横方向に隣り合う一対の回転刈り刃のうちの刈り草流動方向での上手側に位置する上手側刈り刃の回転域に凹入湾曲案内面で面した上手側刈り刃用プレート部と、前記隣り合う一対の回転刈り刃のうちの刈り草流動方向での下手側に位置する下手側刈り刃の回転域に凹入湾曲案内面で面した下手側刈り刃用プレート部とを設け、
前記前バッフルプレートにおける前記上手側刈り刃用プレート部と前記下手側刈り刃用プレート部との境界と、前記上手側刈り刃の回転域との間隔が、前記境界と前記下手側刈り刃の回転域との間隔よりも大になるよう、かつ、前記上手側刈り刃用プレート部の前記境界が位置する側の領域での前記上手側刈り刃の回転域との間隔が、前記境界に至るほど大になるよう前バッフルプレートを構成してあるモーア。
【請求項２】
前記上手側刈り刃用プレート部の前記凹入湾曲案内面に沿った状態で前記境界から延出する延長線が、前記下手側刈り刃の回転域を通るよう前記上手側刈り刃用プレート部を構成してある請求項１記載のモーア。
【請求項３】
前記上手側刈り刃用プレート部の前記凹入湾曲案内面に沿った状態で前記境界から延出する延長線が、前記下手側刈り刃の回転軸芯を通るよう前記上手側刈り刃用プレート部を構成してある請求項１記載のモーア。
【発明の詳細な説明】
【技術分野】
【０００１】
本発明は、刈り刃ハウジングの内部に刈り刃ハウジング横方向に並んで位置するとともに刈り刃ハウジング上下向き軸芯まわりで回転自在な複数の回転刈り刃と、前記刈り刃ハウジングの横一端部に位置した刈り草排出口と、前記各回転刈り刃からの刈り草を前記刈り草排出口に流動案内するよう、前記刈り刃ハウジングの内部の前記各回転刈り刃の回転域の前方に位置した前バッフルプレートとを備えたモーアに関する。
【背景技術】
【０００２】
上記したモーアは、回転刈り刃によって切断処理された刈り草を、各回転刈り刃の回転によって発生し、前バッフルプレートに案内されて刈り刃ハウジング内を刈りハウジングの横一端側に向けて流動する風によって搬送し、刈り草排出口から刈り刃ハウジング外に排出する。
【０００３】
この種のモーアとして、従来、たとえば特許文献１に示されるものがあった。特許文献１に示されるものは、モーアデッキ（刈り刃ハウジングに相当）と、３枚の回転ブレード（回転刈り刃に相当）と、刈り草排出口と、前部バッフル（前バッフルプレートに相当）とを備えている。前部バッフルは、各回転ブレードの回転域に面した凹入湾曲案内面を備えている。モーアデッキ横方向に隣り合う一対の回転ブレードのうちの刈り草流動方向での上手側に位置する回転ブレードに対応するものとして前部バッフルに備えられた凹入湾曲案内面が、この凹入湾曲案内面の刈り草流動方向でのほぼ全体にわたって回転ブレードの回転域に接近している。
【０００４】
【特許文献１】特開２００４−４１０６０号公報（段落〔００２７〕−〔００２９〕、図６）
【発明の開示】
【発明が解決しようとする課題】
【０００５】
この種のモーアは、刈り刃ハウジング横方向に並ぶ一対の回転刈り刃のうちの刈り草流動方向での上手側に位置する上手側刈り刃からの風が、前記一対の回転刈り刃のうちの刈り草流動方向での下手側に位置する下手側刈り刃からの風に合流しながら下手側刈り刃の回転域に流入し、この回転域を通過して刈り草排出口に向けて流動する。上記した従来の前バッフルプレートに関する技術を採用した場合、上手側刈り刃のからの風が下手側刈り刃からの風に合流する箇所において、空気の乱流や刈り刃ハウジング下方向きの強い風が発生し、草の倒伏が発生することがあった。このため、上手側刈り刃や下手側刈り刃による刈り跡に切断不足や刈残しの草が発生する場合があるなど、良好な刈跡を得にくくなることがあった。
【０００６】
本発明の目的は、上記したトラブル発生を回避しやすいモーアを提供することにある。
【課題を解決するための手段】
【０００７】
本第１発明は、刈り刃ハウジングの内部に刈り刃ハウジング横方向に並んで位置するとともに刈り刃ハウジング上下向き軸芯まわりで回転自在な複数の回転刈り刃と、前記刈り刃ハウジングの横一端部に位置した刈り草排出口と、前記各回転刈り刃からの刈り草を前記刈り草排出口に流動案内するよう、前記刈り刃ハウジングの内部の前記各回転刈り刃の回転域の前方に位置した前バッフルプレートとを備えたモーアにおいて、
前記前バッフルプレートに、前記複数の回転刈り刃において刈り刃ハウジング横方向に隣り合う一対の回転刈り刃のうちの刈り草流動方向での上手側に位置する上手側刈り刃の回転域に凹入湾曲案内面で面した上手側刈り刃用プレート部と、前記隣り合う一対の回転刈り刃のうちの刈り草流動方向での下手側に位置する下手側刈り刃の回転域に凹入湾曲案内面で面した下手側刈り刃用プレート部とを設け、
前記前バッフルプレートにおける前記上手側刈り刃用プレート部と前記下手側刈り刃用プレート部との境界と、前記上手側刈り刃の回転域との間隔が、前記境界と前記下手側刈り刃の回転域との間隔よりも大になるよう、かつ、前記上手側刈り刃用プレート部の前記境界が位置する側の領域での前記上手側刈り刃の回転域との間隔が、前記境界に至るほど大になるよう前バッフルプレートを構成してある。
【０００８】
本第1発明の構成によると、上手側刈り刃の回転域の前方に適切な広さおよび形状の流路が形成され、上手側刈り刃からの風が下手側刈り刃の回転域に向けて静かに流れる。そして、下手側刈り刃用プレートが適切に案内作用し、下手側刈り刃によって発生した風が上手側刈り刃からの風に適切に導入作用する。これにより、上手側刈り刃からの風が下手側刈り刃からの風に静かに合流しながら下手側刈り刃の回転域に流入し、空気の乱流や強い吹き降ろし風が発生しにくくて風による草倒伏を発生しにくくしながら刈り草排出を行わせることができる。
【０００９】
従って、刈り草を回転刈り刃によって発生した風によって刈り刃ハウジングの横外側に排出するものでありながら、草の風による倒伏に起因した切断不足や刈り残しなどが発生しにくい良好な仕上がり状態で草刈り作業を行うことができる。
【００１０】
本第２発明は、本第１発明の構成において、前記上手側刈り刃用プレート部の前記凹入湾曲案内面に沿った状態で前記境界から延出する延長線が、前記下手側刈り刃の回転域を通るよう前記上手側刈り刃用プレート部を構成してある。
【００１１】
本第２発明の構成によると、上手側刈り刃からの刈り草が下手側刈り刃の回転域に流入するよう上手側刈り刃用プレート部によって案内され、上手側刈り刃による刈り草を上手側刈り刃の回転域に滞留しにくくできる。
【００１２】
従って、上手側刈り刃による刈り草が上手側刈り刃の刈り跡に残りにくい仕上がりのよい草刈り作業を行うことができる。
【００１３】
本第３発明は、本第１発明の構成において、前記上手側刈り刃用プレート部の前記凹入湾曲案内面に沿った状態で前記境界から延出する延長線が、前記下手側刈り刃の回転軸芯を通るよう前記上手側刈り刃用プレート部を構成してある。
【００１４】
本第３発明の構成によると、上手側刈り刃からの刈り草が下手側刈り刃の回転域により流入しやすいよう上手側刈り刃用プレート部によって案内され、上手側刈り刃による刈り草を上手側刈り刃の回転域により滞留しにくくできる。
【００１５】
従って、上手側刈り刃による刈り草が上手側刈り刃の刈り跡により残りにくい仕上がりのよい草刈り作業を行うことができる。
【発明を実施するための最良の形態】
【００１６】
以下、本発明の実施例を図面に基づいて説明する。
図１は、乗用型草刈機の全体側面図である。図２は、乗用型草刈機の全体平面図である。これらの図に示すように、乗用型草刈機は、左右一対の前車輪１，１と左右一対の後車輪２，２とを有した自走車体と、この自走車体の車体フレーム３の前輪１と後輪２との間にリンク機構４を介して装着された本発明の実施例に係るモーア２０とを備えている。
【００１７】
この乗用型草刈機は、草刈りや芝刈り作業を行うものである。
すなわち、リンク機構４の左右一対の後揺動リンク４ｂ，４ｂを一体揺動自在に支持している支軸４ｄに連結された昇降シリンダ１４を操作すると、リンク機構４が昇降シリンダ１４によって車体フレーム３に対して上下に揺動操作され、モーア２０をゲージ輪２５が地面に接地した下降作業状態と、ゲージ輪２５が地面から上昇した上昇非作業状態とに昇降操作する。モーア２０を下降作業状態にして自走車体を走行させると、モーア２０は、刈り刃ハウジング２１の内部に位置する３枚の回転刈り刃２２Ｌ，２２Ｃ，２２Ｒ（図３参照）によって草や芝の刈り処理を行い、刈り草や刈り草（以下、これらを刈り草と称する。）を各回転刈り刃２２Ｌ，２２Ｃ，２２Ｒの回転によって発生した風によって刈り刃ハウジング２１の内部を刈り刃ハウジング２１の横一端部に位置する刈り草排出口２３（図３参照）に搬送し、この刈り草排出口２３から放出ガイド２４によって案内させながら自走車体横外側に放出する。
【００１８】
自走車体について詳述する。
自走車体は、前記左右一対の前車輪１，１と前記左右一対の後車輪２，２とを備える他、車体後部に設けたエンジン５を有した原動部と、運転座席６及び左右一対の操縦レバー７，７を有した運転部と、運転座席６の後側近くに位置した転倒保護枠８と、前記左右の後車輪２，２を支持する伝動装置９と、伝動装置９の前部に位置する動力取り出し軸１０の駆動力をモーア２０の刈り刃駆動機構２０Ｄに伝達する回転軸１１とを備えている。左右の前車輪１は、車体フレーム３の前部に連結された前輪支持フレーム１２の端部に前輪支持フォーク１３を介して遊転自在に支持されている。左右の前車輪１は、前輪支持フォーク１３と共に前輪支持フレーム１２に対して揺動操向する。左右の後車輪２，２は、伝動装置９が備える一対の静油圧式無段変速装置（図示せず）によって各別に駆動され、前記左右一対の操縦レバー７，７による一対の静油圧式無段変速装置の各別な変速操作によって各別に前進側及び後進側に変速され、かつ停止操作される。
【００１９】
次に、リンク機構４について詳述する。
リンク機構４は、車体フレーム３とモーア２０の刈り刃ハウジング２１の前端側とにわたって連結されて、モーア２０の前端側を車体フレーム３に昇降自在に連結している左右一対の前揺動リンク４ａ，４ａと、車体フレーム３と前記刈り刃ハウジング２１の後端側とにわたって連結されて、モーア２０の後端側を車体フレーム３に昇降自在に連結している左右一対の後揺動リンク４ｂ，４ｂと、左右両側において前揺動リンク４ａと後揺動リンク４ｂとにわたって連結された連動リンク４ｃとを備えている。
【００２０】
次に、モーア２０について詳述する。図３は、モーア２０の底面図である。図４は、モーア２０の底面側からの斜視図である。
これらの図に示すように、モーア２０は、前記刈り刃ハウジング２１と、前記３枚の回転刈り刃２２Ｌ，２２Ｒ，２２Ｃと、前記刈り草排出口２３と、前記ゲージ輪２５とを備える他、刈り刃ハウジング２１の内部に各回転刈り刃２２Ｌ，２２Ｒ，２２Ｃよりも前側に配置して設けた前バッフルプレート４０と、刈り刃ハウジング２１の内部に各回転刈り刃２２Ｌ，２２Ｒ，２２Ｃよりも後側に配置して設けた後バッフルプレート５０とを備えている。
【００２１】
刈り刃ハウジング２１は、天板２１ａと、この天板２１ａの山形の前縁部から刈り刃ハウジング下方向きに延出した前縦壁２１ｂと、天板２１ａの後縁部から刈り刃ハウジング下向きに延出した後縦壁２１ｃと、天板２１ａの横端部から刈り刃ハウジング下向きに延出した横縦壁２１ｄとによって構成され、自走機体下方向きに開口した容器形になっている。後縦壁２１ｃは、この後縦壁２１ｃの刈り刃ハウジング横方向での両端部に位置するとともに刈り刃ハウジング上下方向視で円弧形になった円弧形端部壁３１と、前記一対の円弧形端部壁３１，３１の間に位置するとともに刈り刃ハウジング上下方向視で直線形になった直線形中間部壁３２と備えている。刈り刃ハウジング２１の前記刈り草排出口２３は、天板２１ａと前縦壁２１ｂと後縦壁２１ｃとの端部によって形成されている。
【００２２】
図３，４に示すように、前記後縦壁２１ｃは、この後縦壁２１ｃの刈り刃ハウジング横幅方向での中央部に位置する部位としての前記直線形中間壁部３２の中央部位に設けた通気口３３と、この通気口３３の両横側に配置して前記直線形中間壁部３２に設けた第二通気口３４とを備えている。前記各第二通気口３４と前記通気口３３とは、前記通気口３３を挿通させて前記後バッフルプレート５０の中央刈り刃対応部５２と前記直線形中間壁部３２とにわたって連結された左右一対の板金製の支持部材６０，６０のうちの第二通気口３４に近い方の支持部材６０を挟んだ位置関係になっている。前記各第二通気口３４は、前記通気口３３とで挟んでいる前記支持部材６０の近くに配置されている。
【００２３】
図３，４に示すように、前記３枚の回転刈り刃２２Ｌ，２２Ｒ，２２Ｃは、刈り刃ハウジング横方向に並んでいる。３枚の回転刈り刃２２Ｌ，２２Ｒ，２２Ｃのうち、刈り刃ハウジング横方向での中央に位置する中央回転刈り刃２２Ｃ（以下、中央刈り刃２２Ｃと略称する。）は、刈り草排出口２３から最も離れて存在し、かつ、刈り草流動方向での最上手に位置した最上手回転刈り刃２２Ｌ（以下、最上手刈り刃２２Ｌと略称する。）と、刈り草流動方向での最上手に位置し、かつ、刈り草排出口２３の最も近くに位置した最排出口側回転刈り刃２２Ｒ（以下、最排出口側刈り刃２２Ｒと略称する。）とに対して若干刈り刃ハウジング前方側に位置ずれしている。各回転刈り刃２２Ｌ，２２Ｒ，２２Ｃは、刈り刃ハウジング２１の天板２１ａにベアリング支持ケースで成る支持部材２６を介して回転自在に支持された刈り刃駆動軸２７の下端部に一体回転自在に支持されている。これにより、各回転刈り刃２２Ｌ，２２Ｃ，２２Ｒは、刈り刃駆動軸２７が備える刈り刃ハウジング上下向き軸芯Ｘのまわりで刈り刃駆動軸２７と共に回転する。各回転刈り刃２２Ｌ，２２Ｒ，２２Ｃは、回転刈り刃２２Ｌ，２２Ｒ，２２Ｃの両端部に設けた切断刃２８と、各切断刃２８の背後側に設けた起風羽根２９とを備えている。
【００２４】
前バッフルプレート４０は、前記最上手刈り刃２２Ｌの回転域２２ＬＡの前方に位置した最上手刈り刃用プレート部４１と、この最上手刈り刃用プレート部４１と前記刈り草排出口２３との間に位置した排出側プレート部４４とを備えている。前記排出側プレート部４４は、中央刈り刃２２Ｃの回転域２２ＣＡの前方に位置した中央刈り刃用プレート部４２と、最排出口側刈り刃２２Ｒの回転域２２ＲＡの前方に位置した最排出口側刈り刃用プレート部４３とを備えている。前バッフルプレート４０は、前バッフルプレート４０の長手方向での複数箇所に連結された取り付けロッド４５によって刈り刃ハウジング２１の天板２１ａに連結されている。前バッフルプレート４０は、前バッフルプレート４０の長手方向に並べて連結ネジ４６によって連結された３枚の分割帯板によって構成してある。
【００２５】
前記最上手刈り刃用プレート部４１は、最上手刈り刃２２Ｌの回転域２２ＬＡに面した凹入湾曲案内面４１ａ（図６参照）を備え、最上手刈り刃２２Ｌが起風羽根２９の回転によって回転域２２ＬＡに発生させた風を中央刈り刃２２Ｃの回転域２２ＣＡに向けて流動するよう凹入湾曲案内面４１ａによって流動案内する。最上手刈り刃２２Ｌから回転域２２ＣＡに流動案内される風は、最上手刈り刃２２Ｌの切断刃２８によって切断処理された刈り草を中央刈り刃２２Ｃの回転域２２ＣＡに搬送する。
【００２６】
前記中央刈り刃用プレート部４２は、中央刈り刃２２Ｃの回転域２２ＣＡに面した凹入湾曲案内面４２ａ（図６参照）を備え、中央刈り刃２２Ｃが起風羽根２９の回転によって回転域２２ＣＡに発生させた風と、最上手刈り刃２２Ｌから回転域２２ＣＡに流入した風とを刈り草排出口２３に向けて流動するよう凹入湾曲案内面４２ａによって流動案内する。回転域２２ＣＡから刈り草排出口２３に流動案内される風は、最上手刈り刃２２Ｌから回転域２２Ｃに流入した刈り草と、中央刈り刃２２Ｃの切断刃２８によって切断処理された刈り草とを刈り草排出口２３に搬送する。
【００２７】
図６は、モーア２０の横一端部（刈り草排出口２３が位置する側とは反対側の横端部）での横断平面図である。前バッフルプレート４０の最上手刈り刃用プレート部４１と中央刈り刃用プレート部４２とを備えるプレート部分を図６に示す如く構成してある。すなわち、前バッフルプレート４０の最上手刈り刃用プレート部４１と中央刈り刃用プレート部４２とを備えるプレート部分に、前記回転域２２ＣＡの前方に中央刈り刃２２Ｃの回転軸芯Ｘに対して最上手刈り刃２２Ｌが位置する側に寄せて配置した境界４７を備えてある。この境界４７は、最上手刈り刃用プレート部４１と中央刈り刃用プレート部４２との境界である。この境界４７は、前バッフルプレート４０を構成している屈曲帯板の屈曲点によって構成してある。前バッフルプレート４０の最上手刈り刃用プレート部４１と中央刈り刃用プレート部４２とを備える部分は、前記境界４７と最上手刈り刃２２Ｌの回転域２ＬＡとの間隔Ｄ１が、前記境界４７と中央刈り刃２２Ｃの回転域２２ＣＡとの間隔Ｄ２よりも大になるよう構成してある。前バッフルプレート４０の最上手刈り刃用プレート部４１と中央刈り刃用プレート部４２とを備える部分は、最上手刈り刃用プレート部４１の前記境界４７が位置する側の領域での最上手刈り刃用プレート部４１の凹入湾曲案内面４１と、最上手刈り刃２２Ｌの回転域２２ＬＡとの間隔Ｄ３が、前記境界４７に至るほど大になるよう構成してある。最上手刈り刃用プレート部４１の凹入湾曲案内面４１に沿った状態で前記境界４７から延出する延長線Ｓが、中央刈り刃２２Ｃの回転軸芯Ｘを通る状態で中央刈り刃２２Ｃの回転域２２ＣＡを通ることになるよう最上手刈り刃用プレート部４１を構成してある。
これにより、最上手刈り刃用プレート部４１は、回転域２２ＬＡと２２ＣＡとの間に適切な広さおよび適切な形状の風流路を形成し、最上手刈り刃２２Ｌからの風が前記風流路で中央刈り刃２２Ｃからの風と合流しながら回転域２２ＣＡに流入する際、前記風流路に乱気流や強い刈り刃ハウジング下方向き風を発生しにくくしている。
【００２８】
図７は、モーア２０の横他端部（刈り草排出口２３が位置する側の横端部）での横断平面図である。この図に示すように、前バッフルプレート４０の前記排出側プレート部４４は、前記回転域２２ＣＡの前方に中央刈り刃２２Ｃの回転軸芯Ｘに対して刈り草排出口２３が位置する側に寄せて配置した屈曲点４８を備えている。この屈曲点４８は、排出側プレート部４４を中央刈り刃用プレート部４２と最排出口側刈り刃用プレート部４３との間で刈り刃ハウジング前後方向に屈曲させている屈曲点である。排出側プレート部４４の前記屈曲点４８よりも流動案内方向での下手側に位置する下手側プレート部分としての最排出側刈り刃用プレート部４３を、この最排出側刈り刃用プレート部４３の流動案内終点４３ａと前記屈曲点４８とを通る直線Ｌよりも刈り刃ハウジング前方側に配置してある。
これにより、排出側プレート部４４は、回転域２２ＣＡと２２ＲＡの間と、その付近とにわたって適切な広さの合流空間を形成し、かつ、この合流空間と刈り草排出口２３との間に適切な広さの風流路を形成し、中央刈り刃２２Ｃからの風と最排出口側刈り刃２２Ｒからの風とが前記合流空間で合流し、前記風流路を最排出口側刈り刃用プレート部４３に案内されて刈り草排出口２３に流動する際、前記合流空間や前記風流路に速度が速いあるいは強い空気流れや刈り刃ハウジング下方向き風を発生しにくくしている。
【００２９】
後バッフルプレート５０は、前記最上手刈り刃２２Ｌに対応した最上手刈り刃対応部５１と、前記中央刈り刃２２Ｃに対応した前記中央刈り刃対応部５２と、前記最排出口側刈り刃２２Ｒに対応した最排出口側刈り刃対応部５３とを備えている。前記最上手刈り刃対応部５１は、刈り刃ハウジング上下方向視で最上手刈り刃２２Ｌの回転域２２ＬＡに沿った円弧形になっている。この最上手刈り刃対応部５１の一部は、前記円弧形端部壁３１によって構成してある。前記中央刈り刃対応部５２は、刈り刃ハウジング上下方向視で中央刈り刃２２Ｃの回転域２２ＣＡに沿った円弧形になっている。前記最排出口側刈り刃対応部５３は、刈り刃ハウジング上下方向視で最排出口側刈り刃２２Ｒの回転域２２ＲＡに沿った円弧形になっている。この最排出口側刈り刃対応部５３の一部は、前記円弧形端部壁３１によって構成してある。
【００３０】
つまり、エンジン５からの駆動力を回転軸１１によって刈り刃駆動機構２０Ｄに伝達し、この刈り刃駆動機構２０Ｄによって各刈り刃駆動軸２７を駆動することにより、各回転刈り刃２２Ｌ，２２Ｒ，２２Ｃを刈り刃駆動軸２７が有する刈り刃ハウジング上下向きの軸芯Ｘまわりで図３に示す回転方向Ａに駆動する。すると、最上手刈り刃２２Ｌと最排出口側刈り刃２２Ｒとは、起風羽根２９の起風作用により、刈り刃ハウジング２１の外部の空気を刈り刃ハウジング２１の前縦壁２１ｂ、横縦壁２１ｄ、後縦壁２１ｃの下方から回転域２２ＬＡ，２２ＲＡに導入して空気流を発生させ、芝、草を空気流によって起立させながら切断刃２８によって切断処理する。中央刈り刃２２Ｃは、起風羽根２９の起風作用により、刈り刃ハウジング２１の外部の空気を刈り刃ハウジング２１の前縦壁２１ｂの下方から、さらに後縦壁２１ｃの下方と通気口３３と各第二通気口３４とから後バッフルプレート５０の下方を通してそれぞれ回転域２２ＣＡに導入して空気流を発生させ、芝、草を空気流によって起立させながら切断刃２８によって切断処理する。各ゲージ輪２５が地面に接地して刈り刃ハウジング２１を接地支持し、各回転刈り刃２２Ｌ，２２Ｒ，２２Ｃを設定刈り高さとしての設定対地高さに維持していることにより、各回転刈り刃２２Ｌ，２２Ｒ，２２Ｃによる刈り高さが設定刈り高さになる。各回転刈り刃２２Ｌ，２２Ｒ，２２Ｃによって切断処理された刈り草を各回転刈り刃２２Ｌ，２２Ｒ，２２Ｃの起風羽根２９によって発生した風により、後バッフルプレート５０と前バッフルプレート４０とに案内させて刈り刃ハウジング２１の内部を刈り草排出口２３が位置する横一端側に搬送し、刈り草排出口２３から刈り刃ハウジング２１の横外側に放出する。
【００３１】
図３に示すように、モーア２０は、刈り刃ハウジング２１の刈り刃ハウジング横方向での中央部の前側と後側とに刈り刃ハウジング横方向に並べて設けた一対の接地ローラ６１，６１，６２，６２を備えている。
【００３２】
前側の左右一対の接地ローラ６１，６１は、刈り刃ハウジング２１の前縦壁２１ｂに連結された左右一対の支持部材６３に支軸６４を介して遊転自在に支持されている。前側の左右一対の接地ローラ６１，６１は、地面に隆起部などの障害物があると、この障害物に乗り上がって刈り刃ハウジング２１の前端側を障害物に突っ込まないように接地支持しながら障害物を乗り越えていく。
【００３３】
図３，４，５に示すように、後側の左右一対の接地ローラ６２，６２は、前記後バッフルプレート５０と直線形中間壁部３２とにわたって連結された前記左右一対の支持部材６０，６０の前記通気口３３から後方に突出した部位に支軸６５を介して遊転自在に支持されている。後側の左右一対の接地ローラ６２，６２は、地面に隆起部などの障害物があると、この障害物に乗り上がって刈り刃ハウジング２１の後端側を障害物に突っ込まないように接地支持しながら障害物を乗り越えていく。この左右一対の接地ローラ６２，６２は、通気口３３の通気障害になりにくいように接地ローラ６２の全体が通気口３３から後方に突出した配置で支持されている。
【００３４】
〔別実施例〕
本発明は、上記実施例の如く３枚の回転刈り刃を備えたモーアの他、２枚の回転刈り刃を備えたモーアにも適用できる。また、本発明は、４枚以上の回転刈り刃を備えたモーアにおいて、刈り草流動方向で隣接し合ういずれか一対の回転刈り刃に対応する前プレート部にも適応できる。従って、最上手刈り刃２２Ｌを上手側刈り刃と呼称し、中央刈り刃２２Ｃを下手側刈り刃と呼称し、最上手刈り刃用プレート部４１を上手側刈り刃用プレート部と呼称し、中央刈り刃用プレート部４２を下手側刈り刃用プレート部と呼称する。
【図面の簡単な説明】
【００３５】
【図１】乗用型草刈機全体の側面図
【図２】乗用型草刈機全体の平面図
【図３】モーアの底面図
【図４】モーアの斜視図
【図５】モーアの縦断側面図
【図６】モーアの横一端部での横断平面図
【図７】モーアの横他端部での横断平面図
【符号の説明】
【００３６】
２１          刈り刃ハウジング
２２Ｌ，２２Ｃ，２２Ｒ      回転刈り刃
２２ＬＡ，２２ＣＡ，２２ＲＡ      回転域
４０          前バッフルプレート
４１          上手側刈り刃用プレート部
４１ａ        上手側刈り刃用プレート部の湾曲案内面
４２          下手側刈り刃用プレート
４２ａ        上手側刈り刃用プレート部の湾曲案内面
４７          境界
Ｄ１          境界と、上手側刈り刃の回転域との間隔
Ｄ２          境界と、下手側刈り刃の回転域との間隔
Ｄ３          上手側刈り刃用プレート部と、上手側刈り刃の回転域との間隔
Ｘ            軸芯
【図１】
2008072959.tif 000003
【図２】
2008072959.tif 000004
【図３】
2008072959.tif 000005
【図４】
2008072959.tif 000006
【図５】
2008072959.tif 000007
【図６】
2008072959.tif 000008
【図７】
2008072959.tif 000009